(57)【要約】【課題】会員が摂取した献立の情報、体質および健康状態の入力を受け、これらの情報を用いて演算した結果から身体の栄養状態を提供することにより、それぞれ異なる身体を持つ会員らの健康状態をより正確に測定することが可能な、献立情報を用いた健康状態測定プログラムを格納する記録媒体と前記プログラムを用いた健康状態測定方法およびシステム提供。【解決手段】コンピュータ端末機で駆動されている献立情報を用いた健康状態測定プログラムのメイン画面上で会員情報を検索する会員検索段階と、検索されていない新規会員の会員情報を記録するための会員情報記録段階と、前記会員情報に対する食事別献立情報を入力する献立情報記録段階と、献立を全て入力した後、飲食情報を確認すると、相談結果を確認する相談結果確認段階と、格納された相談データおよび飲食データを照会するアップロードおよびバックアップ段階とを含んでなる、健康状態測定方法を提供する。【選択図】図２
2009003905.tif 000002
【特許請求の範囲】
【請求項１】
献立情報を用いた健康状態測定プログラムを格納する記録媒体が設置および駆動され、前記プログラムに従って会員の情報入力および結果確認のためのモニターを備えているコンピュータ端末機と、 
前記コンピュータ端末機の本体と有線で連結されており、商品形態の飲食に記載されているバーコードを認識して前記コンピュータ端末機を介して前記プログラムにバーコードの飲食情報を伝達するバーコード認識機と、
前記コンピュータ端末機と有線で連結されており、前記コンピュータ端末機で駆動されるプログラム上で会員の健康状態情報を受信して分析した後、分析された健康相談内容をさらに前記コンピュータ端末機に伝送する中央管理サーバーとから構成されており、
会員身体状態の情報と会員が摂取する献立の情報の入力を前記コンピュータ端末機に受け、これの情報に基づいて前記健康状態測定プログラムを稼動させて会員の全体健康状態を分析することを特徴とする、健康状態測定システム。
【請求項２】
前記中央管理サーバーは、献立情報を入力する献立情報入力プログラムをアップロードし、前記献立情報入力プログラムを前記中央管理サーバーからダウンロードして格納しており、前記献立情報入力プログラムを駆動して献立情報を入力した後、移動通信網を介して前記中央管理サーバーへ伝送する携帯端末機をさらに含んでいることを特徴とする、請求項１に記載の健康状態測定システム。
【請求項３】
コンピュータ端末機で駆動されている献立情報を用いた健康状態測定プログラムのメイン画面上で会員情報を検索する会員検索段階と、
検索されていない新規会員の会員情報を記録する会員情報記録段階と、
前記会員情報に対する食事別献立情報を入力する献立情報記録段階と、
献立を全て入力した後、飲食情報を確認すると、相談結果を確認する相談結果確認段階と、
格納された相談データおよび飲食データを照会するアップロードおよびバックアップ段階とを含んでなることを特徴とする、健康状態測定方法。
【請求項４】
前記会員情報記録段階で入力される会員情報は、身上情報、健康事項、運動程度、および生活習慣情報のいずれか一つであることを特徴とする、請求項３に記載の健康状態測定方法。
【請求項５】
前記献立情報記録段階では、献立情報の飲食摂取量を入力することを特徴とする、請求項３に記載の健康状態測定方法。
【請求項６】
前記献立情報は、会員の携帯端末機に内蔵されている献立情報入力プログラムを作動させて献立情報を入力した後、中央管理サーバーを介して受信することも可能であることを特徴とする、請求項５に記載の健康状態測定方法。
【請求項７】
前記飲食情報は、プログラム上に既に格納されており、或いはバーコードを介して伝送されてきたデータであることを特徴とする、請求項３に記載の健康状態測定方法。
【請求項８】
前記相談結果確認段階では、会員が前記会員情報記録段階で入力した身上情報、健康情報、生活習慣、運動程度、および前記献立情報記録段階で入力した飲食情報から疾病発生危険率、カロリー摂取情報、体重調節、肥満度、３代栄養素摂取比率、および食事別摂取率のいずれか一つを提供することを特徴とする、請求項４に記載の健康状態測定方法。
【請求項９】
前記相談結果確認段階による相談データおよび飲食データをファイル変換させて、中央管理サーバーのＤＢにバックアップさせるバックアップ段階をさらに含むことを特徴とする、請求項８に記載の健康状態測定方法。
【請求項１０】
コンピュータ端末機を介して身上情報、健康事項、職業、運動程度、および生活習慣の少なくとも一つの会員情報の入力を受け、入力された会員情報に基づいて会員有無を検索する機能と、
会員が食事毎に摂取する献立情報の入力を前記コンピュータ端末機或いは携帯電話に受け、これを格納する機能と、
前記献立情報に基づいて既に格納されており或いはバーコードを介して伝送されて格納されている飲食情報を画面に表示する機能と、
前記献立情報による飲食情報から会員の健康状態結果を算出して提供する機能と、
前記健康状態結果に基づいた１日栄養摂取基準別カロリー、炭水化物、タンパク質、脂質、カルシウム、ナトリウム、コレステロール、鉄、およびビタミンの含量をグラフで示す機能と、
前記健康状態結果を相談日誌として作成して日付別に記録する機能とを含むことを特徴とする、献立情報を用いた健康状態測定プログラムを格納する記録媒体。
【請求項１１】
前記身上情報は、会員の氏名、生年月日、性別、背丈、体重、住所、連絡先、および妊娠可否の少なくとも一つに関する情報であることを特徴とする、請求項１０に記載の 献立情報を用いた健康状態測定プログラムを格納する記録媒体。
【請求項１２】
前記健康事項は、高血圧、高脂血症、糖尿病、骨粗鬆症、および関節炎の少なくとも一つに関する情報であることを特徴とする、請求項１０に記載の献立情報を用いた健康状態測定プログラムを格納する記録媒体。
【請求項１３】
前記健康状態結果は、疾病発生危険率、カロリー摂取情報、体重調節、肥満度、３代栄養素摂取比率、および食事別摂取率の少なくとも一つであることを特徴とする、請求項１０に記載の献立情報を用いた健康状態測定プログラムを格納する記録媒体。
【請求項１４】
前記疾病発生危険率は、前記飲食情報の栄養素含量、前記会員の生活習慣、背丈、体重、および健康情報の少なくとも一つから算出することを特徴とする、請求項１３に記載の献立情報を用いた健康状態測定プログラムを格納する記録媒体。
【請求項１５】
前記カロリー摂取情報は、前記飲食情報の総カロリーを計算して前記身上情報の性別と妊娠可否から算出することを特徴とする、請求項１３に記載の献立情報を用いた健康状態測定プログラムを格納する記録媒体。
【発明の詳細な説明】
【技術分野】
【０００１】
本発明は、摂取した献立の情報を入力することにより、身体および体質による健康情報を得るための、献立情報を用いた健康状態測定プログラムを格納する記録媒体に関する。
【背景技術】
【０００２】
人間の健康状態および体重調節を定める最大要因は、摂取する飲食である。このため、従来、飲食別カロリーを計算する多くのプログラムが提示されている。これらのプログラムは、運動量などの消費エネルギー量と摂取エネルギー量を計算して提供する。ところが、これらの従来のプログラムは、個々の体質と特性を持つ人々に全て一括的に適用されるものであって、健康上の問題がある人々には適しない。また、これらのプログラムは、カロリーのみを計算するだけであり、飲食別栄養情報がなくてバランスの取れた食事のための情報は提供しない。
【発明の開示】
【発明が解決しようとする課題】
【０００３】
そこで、本発明は、かかる問題点を解決するためのもので、その目的とするところは、会員が摂取した献立の情報、体質および健康状態の入力を受け、入力されたこれらの情報を用いて演算した結果から身体の栄養状態を提供する、献立情報を用いた健康状態測定プログラムを格納する記録媒体を提供することにある。
【０００４】
また、本発明の他の目的は、各飲食の当該飲食情報の入力をバーコードを介して受け、これを格納する、献立情報を用いた健康状態測定プログラムを格納する記録媒体を提供することにある。
【０００５】
また、本発明の別の目的は、会員の栄養状態情報を受信する中央管理サーバーを構築しており、この中央管理サーバーを介して各種飲食情報を含む健康情報をアップロードおよびダウンロードすることが可能な健康状態測定システムを提供することにある。
【０００６】
また、本発明の別の目的は、会員が摂取する献立の情報を何処でも入力可能な携帯端末機を介して献立情報を中央管理サーバーに伝送し、この中央管理サーバーはこれらの情報をインターネット網を介してコンピュータ端末機に伝送することが可能な健康状態測定システムを提供することにある。
【課題を解決するための手段】
【０００７】
上記課題を解決するために、本発明は、献立情報を用いた健康状態測定プログラムを格納する記録媒体が設置および駆動され、前記プログラムに従って会員の情報入力および結果確認のためのモニターを備えているコンピュータ端末機と、前記コンピュータ端末機の本体と有線で連結されており、商品形態の飲食に記載されているバーコードを認識して、前記コンピュータ端末機を介して前記プログラムにバーコードの飲食情報を伝達するバーコード認識機と、前記コンピュータ端末機と有線で連結されており、前記コンピュータ端末機で駆動されるプログラム上で会員の健康状態情報を受信して分析した後、分析された健康相談内容をさらに前記コンピュータ端末機に伝送する中央管理サーバーとから構成されており、会員身体状態の情報および会員が摂取する献立の情報の入力を前記コンピュータ端末機に受け、これらの情報を用いて前記健康状態測定プログラムを稼動させて会員の全体健康状態を分析することを特徴とする、健康状態測定システムを提供する。
【０００８】
ここで、前記中央管理サーバーは、献立情報を入力する献立情報入力プログラムをアップロードし、前記献立情報入力プログラムを前記中央管理サーバーからダウンロードして格納しており、前記献立情報入力プログラムを駆動して献立情報を入力した後、移動通信網を介して前記中央管理サーバーへ伝送する携帯端末機をさらに含んでいることが好ましい。
【０００９】
また、本発明は、コンピュータ端末機で駆動されている献立情報を用いた健康状態測定プログラムのメイン画面上で会員情報を検索する会員検索段階と、検索されていない新規会員の会員情報を記録する会員情報記録段階と、前記会員情報に対する食事別献立情報を入力する献立情報記録段階と、献立を全て入力した後、飲食情報を確認すると、相談結果を確認する相談結果確認段階と、格納された相談データおよび飲食データを照会するアップロードおよびバックアップ段階とから構成されることが好ましい。
【００１０】
ここで、前記会員情報記録段階で入力される会員情報は、身上情報、健康事項、運動程度、および生活習慣情報のいずれか一つであることが好ましい。
【００１１】
また、前記献立情報記録段階では、献立情報の飲食摂取量を入力することが好ましい。
【００１２】
また、前記献立情報は、会員の携帯端末機に内蔵されている献立情報入力プログラムを作動させて献立情報を入力した後、中央管理サーバーを介して受信することもできることが好ましい。
【００１３】
また、前記飲食情報は、プログラム上に既に格納されており、或いはバーコードを介して伝送されてきたデータであることが好ましい。
【００１４】
また、前記相談結果確認段階では、会員が前記会員情報記録段階で入力した身上情報、健康情報、生活習慣、運動程度、および前記献立情報記録段階で入力した飲食情報から疾病発生危険率、カロリー摂取情報、体重調節、肥満度、３代栄養素摂取比率、および食事別摂取率のいずれか一つを提供することが好ましい。
【００１５】
また、本発明は、前記相談結果確認段階による相談データおよび飲食データをファイル変換させて、中央管理サーバーのＤＢにバックアップさせるバックアップ段階をさらに含むことが好ましい。
【００１６】
また、本発明は、コンピュータ端末機を介して身上情報、健康事項、職業、運動程度、および生活習慣の少なくとも一つの会員情報の入力を受け、入力された会員情報に基づいて会員有無を検索する機能と、会員が食事毎に摂取する献立の情報の入力を前記コンピュータ端末機或いは携帯電話に受け、これを格納する機能と、前記献立情報に基づいて既に格納されており、或いはバーコードを介して伝送されて格納されている飲食情報を画面に表示する機能と、前記献立情報による飲食情報から会員の健康状態結果を算出して提供する機能と、前記健康状態結果に基づいた１日栄養摂取基準別カロリー、炭水化物、タンパク質、脂質、カルシウム、ナトリウム、コレステロール、鉄、およびビタミンの含量をグラフで示す機能と、前記健康状態結果を相談日誌として作成して日付別に記録する機能とから構成されることが好ましい。
【００１７】
また、前記身上情報は、会員の氏名、生年月日、性別、背丈、体重、住所、連絡先、および妊娠可否の少なくとも一つに関する情報であることが好ましい。
【００１８】
また、前記健康事項は、高血圧、高脂血症、糖尿病、骨粗鬆症、および関節炎の少なくとも一つに関する情報であることが好ましい。
【００１９】
また、前記健康状態結果は、疾病発生危険率、カロリー摂取情報、体重調節、肥満度、３代栄養素摂取比率、および食事別摂取率の少なくとも一つであることが好ましい。
【００２０】
また、前記疾病発生危険率は、前記飲食情報の栄養素含量、前記会員の生活習慣、背丈、体重、および健康情報の少なくとも一つから算出することが好ましい。
【００２１】
また、前記カロリー摂取情報は、前記飲食情報の総カロリーを計算して前記身上情報の性別と妊娠可否から算出することが好ましい。
【発明の効果】
【００２２】
上述したように、本発明の献立情報を用いた健康状態測定プログラムを格納する記録媒体によると、会員が摂取した献立の情報、体質および健康状態の入力を受け、入力されたこれらの情報を用いて演算した結果から身体の栄養状態を提供することにより、それぞれ異なる身体を持つ会員の健康状態をより正確に測定することができる。
【００２３】
また、本発明の健康状態測定システムよると、会員が摂取する献立の情報を何処でも入力可能な携帯端末機を介して、献立情報を、会員の栄養状態情報を受信する中央管理サーバーへ伝送し、この中央管理サーバーはこれらの情報をインターネット網を介してコンピュータ端末機に伝送することにより、実時間にて会員が自分の献立情報を入力することができて健康管理に一層規則的で正確なデータを得ることができる。
【発明を実施するための最良の形態】
【００２４】
以下、本発明の献立情報を用いた健康状態測定プログラムを格納する記録媒体、このプログラムを用いた健康状態測定方法およびシステムの実施例を添付図面によってより詳細に説明する。
【００２５】
図１に示すように、本発明は、バーコード認識機１０と有線で連結されているコンピュータ端末機２０、中央管理サーバー３０、および携帯端末機４０から構成されている。
【００２６】
前記コンピュータ端末機２０は、本発明の献立情報を用いた健康状態測定プログラムを格納する記録媒体が設置および駆動できるコンピュータ端末機であり、前記プログラムに従って会員の情報入力および結果確認のためのモニターを備えている。
【００２７】
前記バーコード認識機１０は、前記コンピュータ端末機２０の本体と有線で連結されており、商品形態の飲食に記載されているバーコードを認識して前記コンピュータ端末機２０にバーコードの飲食情報を伝達する。
【００２８】
前記飲食情報とは、飲食に分類される商品において、前記飲食に該当するカロリー、重量、および栄養成分情報をいう。
前記中央管理サーバー３０は、前記コンピュータ端末機２０とインターネットで連結されており、前記コンピュータ端末機２０で駆動されるプログラム上で会員の健康状態情報を受信し、この健康状態情報についての健康相談内容の分析を専門家から受けた後、前記分析された健康相談内容をさらにコンピュータ端末機２０に伝送するサーバーである。
【００２９】
また、前記中央管理サーバー３０は、前記コンピュータ端末機２０の健康状態情報をアップロードし、或いは前記中央管理サーバー３０の別の健康情報または飲食情報をコンピュータ端末機２０にダウンロードする。
【００３０】
また、前記中央管理サーバー３０は、後述する携帯端末機４０から献立情報を受信することが可能な献立情報入力プログラムをアップロードする。したがって、前記中央管理サーバー３０は、前記携帯端末機４０の献立情報入力プログラムを介して伝送された献立情報をコンピュータ端末機２０に伝送する。
【００３１】
前記携帯端末機４０は、無線通信が可能な一般携帯電話であって、前記中央管理サーバー３０から献立情報入力プログラム（仮想マシン）を１回ダウンロードして格納しており、前記プログラムを駆動して献立情報（食事毎に摂取する飲食）を入力した後、これを伝送する。
【００３２】
図２は本発明の献立情報を用いた健康状態測定プログラムを用いて健康状態を測定するための方法の順序図である。
【００３３】
図２に示すように、まず、コンピュータ端末機２０で駆動されているプログラムのメイン画面上で会員情報を検索する会員検索段階（Ｓ１０）を行う。
【００３４】
前記会員検索段階では、会員検索のために会員の名前を検索欄に入力し（図３）、これにより会員情報が記録されている会員の同一名前が検索されて画面に表示される。図４に示すように、同一の会員名前がなければ、会員情報が記録されたところがないので、新規登録するための会員情報記録ページに移動する。
【００３５】
図５の前記記録ページでは会員情報を記録するための会員情報記録段階（Ｓ２０）を行う。
【００３６】
前記記録段階で入力される会員情報は、身上情報、健康事項、職業、運動情報、および生活習慣に関する情報である。
【００３７】
前記身上情報は会員の氏名、生年月日、性別、背丈、体重、住所、連絡先、および妊娠可否に関する情報であり、前記健康事項は高血圧、高脂血症、糖尿病、骨粗鬆症および関節炎に関する情報である。
【００３８】
前記運動程度は運動する強度を示し、前記生活習慣は一週間の運動量、飲酒量および喫煙量を示す。
【００３９】
前記会員情報記録段階を行うと、図６〜図７に示すように、献立情報記録段階（Ｓ３０）を行う。
【００４０】
図６に示すように、前記献立情報記録段階では、各食事の際に摂取する献立情報としての飲食（ご飯、汁、おかずなど）を記録する段階である。
【００４１】
前記献立情報記録段階では、記録される飲食の摂取量を共に記録する。これは会員の献立情報が管理者によってコンピュータ端末機に入力されることもでき、会員の携帯端末機４０に内蔵されているプログラムを作動させて献立情報を入力した後、中央管理サーバー３０を介して受信することもできる。
【００４２】
また、図７に示すように、前記記録される飲食は、その飲食情報が記録されて画面に表示されると同時に、画面の下端の摂取した飲食情報目録に格納される。
【００４３】
前記飲食情報は、プログラム上に既に格納されており或いはバーコードを介して伝送されてきたデータであり、１日基準摂取量、熱量、および栄養成分情報が記録される。
【００４４】
前記献立情報記録段階で献立を全て入力した後、飲食情報を確認すると、相談結果を確認する相談結果確認段階（Ｓ４０）を行う。
【００４５】
前記相談結果確認段階では、会員が前記会員情報記録段階で入力した身上情報、健康情報、生活習慣、運動程度、および前記献立情報記録段階で入力した飲食情報から疾病発生危険率、カロリー摂取情報、体重調節、肥満度、３代栄養素摂取比率、および食事別摂取率を提供する（図８）。
【００４６】
すなわち、飲食情報の栄養素含量、生活習慣、背丈、体重、および健康情報から疾病発生危険率を計算し、飲食情報の総カロリーを計算して身上情報の性別と妊娠可否からカロリー摂取情報を計算する。
【００４７】
また、背丈、体重、性別、および妊娠可否から体重調節と肥満度を計算し、飲食情報から３代栄養素摂取比率および食事別摂取率を計算する。
【００４８】
また、図９に示すように、１日栄養摂取基準別カロリー、炭水化物、タンパク質、脂質、カルシウム、ナトリウム、コレステロール、鉄およびビタミンの含量をグラフで示し、図１０に示すように、これらに対する前記の相談結果を相談日誌として作成して日付別に記録する。
【００４９】
また、図１１に示すように、前記相談結果のデータを用いて各摂取栄養素別統計グラフを演算して日付別に示す。
【００５０】
前記のように相談結果確認段階の後、格納される前記相談データおよび飲食データのデータを照会するアップロードおよびバックアップ段階（Ｓ５０）を行う。
【００５１】
図１２に示すように、前記アップロードおよびバックアップ段階では、前記の相談データおよび飲食データのデータを相談者情報（名前、年齢、性別、背丈、体重、住所、連絡先、電子メール、健康問題、職業情報、飲酒量、喫煙量）、カロリー摂取情報（１日カロリー摂取量、肥満度、１日エネルギー必要推定量、基礎代謝量、標準体重、調整体重、３代栄養素摂取比率、炭水化物、タンパク質、脂肪）、処方日誌（食事療法、運動療法、栄養士の所見）、１日栄養摂取基準（カロリー、炭水化物、タンパク質、脂質、カルシウム、ナトリウム、コレステロール、鉄、ビタミン群）別に見せるようにし、これらをＥｘｃｅｌファイルに変換するようにする。
【００５２】
また、前記情報を中央管理サーバー３０のＤＢにバックアップすることもできる。
【００５３】
また、図１３は飲食データを管理するページであって、前記バーコード認識機１０で認識される飲食情報が伝送されて記録されるページである。
【００５４】
したがって、図１３の登録ボタンを押すと、図１４に示すような飲食情報を入力するページが表示され、前記バーコード認識機１０を介して飲食情報が伝達されると、前記空セルに自動に飲食情報が記録されることにより、本発明の健康状態測定方法の全段階を全て済ませる。
【００５５】
以上、本発明の献立情報を用いた健康状態測定プログラムを格納する記録媒体とこのプログラムを用いた健康状態測定方法およびシステムに対する技術思想を添付図面と共に述べたが、これは本発明の好適な実施例を例示的に説明したもので、本発明を限定するものではない。また、当該技術分野における通常の知識を有する者であれば誰でも、本発明の技術思想の範疇を逸脱しない範囲内において、様々な変形または模様が可能であるのは明白な事実である。
【図面の簡単な説明】
【００５６】
【図１】本発明の健康状態測定システムの一実施例の全体構成図である。
【図２】本発明の健康状態測定方法の一実施例の全体順序図である。
【図３】図２の順序図による画面例示図である。
【図４】図２の順序図による画面例示図である。
【図５】図２の順序図による画面例示図である。
【図６】図２の順序図による画面例示図である。
【図７】図２の順序図による画面例示図である。
【図８】図２の順序図による画面例示図である。
【図９】図２の順序図による画面例示図である。
【図１０】図２の順序図による画面例示図である。
【図１１】図２の順序図による画面例示図である。
【図１２】図２の順序図による画面例示図である。
【図１３】図２の順序図による画面例示図である。
【図１４】図２の順序図による画面例示図である。
【符号の説明】
【００５７】
１０    バーコード
２０    コンピュータ端末機
３０    中央管理サーバー
４０    携帯端末機
【図１】
2009003905.tif 000003
【図２】
2009003905.tif 000004
【図３】
2009003905.tif 000005
【図４】
2009003905.tif 000006
【図５】
2009003905.tif 000007
【図６】
2009003905.tif 000008
【図７】
2009003905.tif 000009
【図８】
2009003905.tif 000010
【図９】
2009003905.tif 000011
【図１０】
2009003905.tif 000012
【図１１】
2009003905.tif 000013
【図１２】
2009003905.tif 000014
【図１３】
2009003905.tif 000015
【図１４】
2009003905.tif 000016